Podtech/llm-jp-corpus-v4-ja_patent huggingface dataset:
【手続補正書】
【提出日】令和1年10月15日(2019.10.15)
【手続補正１】
【補正対象書類名】特許請求の範囲
【補正対象項目名】全文
【補正方法】変更
【補正の内容】
【特許請求の範囲】
【請求項１】
（ａ）調節タンパク質をコードする核酸に作動可能に連結されているプロモーターと；
（ｂ）核酸を切断する酵素をコードする核酸、核酸にニックを入れる酵素をコードする核酸、又は核酸の交換を触媒する酵素をコードする核酸に作動可能に連結されている誘導性プロモーターであって、前記誘導性プロモーターの活性が前記調節タンパク質によってモジュレートされる、誘導性プロモーターと；
（ｃ）（ａ）の下流及び（ｂ）の上流に配置された少なくとも２つのインシュレーターと；
（ｄ）（ｂ）の下流及び（ａ）の上流に配置された少なくとも１つのインシュレーターと；
（ｅ）（ｂ）の下流及び（ａ）の上流に配置された少なくとも１つのデオキシリボ核酸（ＤＮＡ）結合ドメイン認識配列と
を含む、操作された核酸構築物。
【請求項２】
少なくとも２つのＤＮＡ結合ドメイン認識配列を含む、請求項１に記載の操作された核酸構築物。
【請求項３】
ＤＮＡ結合ドメイン認識配列の少なくとも１つがヒトゲノムのＡＡＶＳ１遺伝子座のヌクレオチド配列又はマウスゲノムのＲｏｓａ２６遺伝子座のヌクレオチド配列に対応する、請求項２に記載の操作された核酸構築物。
【請求項４】
少なくとも１つのＤＮＡ結合ドメイン認識配列が（ａ）の上流で隣接して配置され、少なくとも１つのＤＮＡ結合ドメイン認識配列が（ｂ）の下流で隣接して配置されている、請求項２に記載の操作された核酸構築物。
【請求項５】
選択可能なマーカータンパク質をコードする核酸に作動可能に連結されているプロモーターをさらに含む、請求項１〜４のいずれか一項に記載の操作された核酸構築物。
【請求項６】
前記酵素がＣａｓ９ヌクレアーゼ、触媒的に不活性なＣａｓ９ヌクレアーゼ、又はＣｐｆ１ヌクレアーゼである、請求項１に記載の操作された核酸構築物。
【請求項７】
ガイドＲＮＡをコードする核酸をさらに含む、請求項６に記載の操作された核酸構築物。
【請求項８】
請求項１〜７のいずれか一項に記載の操作された核酸構築物を含むベクター。
【請求項９】
（ａ）核局在化シグナルを含まないＣａｓ９ヌクレアーゼをコードする核酸に作動可能に連結されているプロモーターであって、前記ヌクレアーゼをコードする前記核酸がエストロゲン受容体（ＥＲＴ２）配列に隣接されている、プロモーターと；
（ｂ）デオキシリボ核酸（ＤＮＡ）結合ヌクレアーゼ認識配列と
を含む、操作された核酸。
【請求項１０】
（ａ）核局在化シグナルを含まないＣａｓ９ヌクレアーゼをコードする核酸に作動可能に連結されているプロモーターであって、前記ヌクレアーゼをコードする前記核酸がエストロゲン受容体（ＥＲＴ２）配列に隣接されている、プロモーターと；
（ｂ）デオキシリボ核酸（ＤＮＡ）結合ヌクレアーゼ認識配列と
を含む、操作された核酸構築物を細胞に導入するステップと；
前記細胞のゲノム領域を標的とするガイドＲＮＡ（ｇＲＮＡ）をコードする核酸に作動可能に連結されているプロモーターを含む、操作された核酸を前記細胞に導入するステップと；
前記細胞ゲノムの改変をもたらす条件下で、タモキシフェンの存在下において前記細胞をインキュベートするステップと
を含む、細胞ゲノムを改変するための、操作された核酸構築物の使用。
【請求項１１】
配列番号８又は１２〜２０のいずれか１つの配列を含む、操作された核酸構築物。
【請求項１２】
請求項１１に記載の操作された核酸構築物を、ゲノムに含む、トランスジェニックマウス。
【請求項１３】
前記操作された核酸構築物が前記マウスゲノムのＲｏｓａ２６遺伝子座に組み込まれている、請求項１２に記載のトランスジェニックマウス。
【請求項１４】
免疫応答性である、請求項１２又は１３に記載のトランスジェニックマウス。
【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
内視鏡で使用するためのプリント回路基板であって、
前記内視鏡のハンドル内に存在するように構成された前記プリント回路基板の基部を備え、
前記プリント回路基板の１つ以上の細長い延長部は、前記ハンドル内の前記プリント回路基板の前記基部から前記内視鏡のシャフトを通って延伸し、前記シャフトの遠位挿入端で終端するように構成され、
前記プリント回路基板の基部は、前記ハンドルに対する前記プリント回路基板の回転位置を検出するように構成されたセンサを含むプリント回路基板。
【請求項２】
請求項１のプリント回路基板において、前記基部は、剛性基板に結合されたフレキシブル基板の複合体であり、前記１つ以上の延長部の少なくとも１つは、フレキシブル基板延長部を含むプリント回路基板。
【請求項３】
請求項１のプリント回路基板において、前記基部は、剛性基板に結合されたフレキシブル基板の複合体であり、前記１つ以上の延長部の少なくとも１つは、剛性基板延長部を含むプリント回路基板。
【請求項４】
請求項１のプリント回路基板において、前記基部は、剛性基板に結合されたフレキシブル基板の複合体であり、前記１つ以上の延長部のうちの第１のものは、フレキシブル基板延長部を含み、前記１つ以上の延長部のうちの第２のものは、剛性基板延長部を含むプリント回路基板。
【請求項５】
請求項４のプリント回路基板において、前記フレキシブル基板延長部及び前記剛性基板延長部は、互いに隣接する前記基部から出現し、前記フレキシブル基板延長部の近位脚部は、前記剛性基板延長部から約９０度の角度で延伸し、前記フレキシブル基板延長部の遠位脚部が、前記剛性基板延長部に対して平行に前記基部から離れて延在するプリント回路基板。
【請求項６】
請求項５のプリント回路基板において、前記フレキシブル基板延長部の前記近位脚部は、前記フレキシブル基板延長部の前記遠位脚部が、前記内視鏡の前記シャフトを通る前記剛性基板延長部に対して平行にかつ前記剛性基板延長部に隣接して位置合わせされるように折り畳まれているプリント回路基板。
【請求項７】
請求項５のプリント回路基板において、前記剛性基板延長部及び前記フレキシブル基板延長部は、前記内視鏡シャフトの内腔を通って延在するプリント回路基板。
【請求項８】
請求項７のプリント回路基板において、前記プリント回路基板の基部、前記剛性基板延長部、及び前記フレキシブル基板延長部は、耐水性コーティングまたは膜で被覆されているプリント回路基板。
【請求項９】
請求項８のプリント回路基板において、前記剛性基板延長部及び前記フレキシブル基板延長部は前記内視鏡シャフトの流体運搬管腔を通って延在するプリント回路基板。
【請求項１０】
請求項４のプリント回路基板において、前記剛性基板延長部は、前記内視鏡シャフトの前記挿入端で１つ以上の光源に接続された電気ラインを担持するプリント回路基板。
【請求項１１】
請求項４のプリント回路基板において、前記フレキシブル基板延長部は、前記内視鏡シャフトの前記挿入端においてイメージ・センサに接続された通信ラインを担持するプリント回路基板。
【請求項１２】
請求項１１のプリント回路基板において、前記イメージ・センサは、ＣＣＤまたはＣＭＯＳセンサであるプリント回路基板。
【請求項１３】
請求項１２のプリント回路基板において、前記フレキシブル基板延長部は、前記イメージ・センサが前記内視鏡シャフトの軸線に概ね垂直な軸の周りを回転することを可能にするように構成されているプリント回路基板。
【手続補正書】
【提出日】令和1年9月26日(2019.9.26)
【手続補正１】
【補正対象書類名】特許請求の範囲
【補正対象項目名】全文
【補正方法】変更
【補正の内容】
【特許請求の範囲】
【請求項１】
動き識別器と、
前記動き識別器と通信するコントローラと、
を有し、
前記コントローラは、（ｉ）前記動き識別器から受信されるセンサ情報に基づいて、ユーザの口内における口腔清掃装置の第１の位置を決定し、（ｉｉ）前記動き識別器から受信されるセンサ情報を用いて、前記第１の位置においてユーザの口内における前記口腔清掃装置の動きが開始されてから停止するまでの経過時間を測定し、（ｉｉｉ）フィッツの法則と前記測定された経過時間とを用いて、前記経過時間の間にブラッシングされた歯の数を計算し、（ｉｖ）前記第１の位置と前記経過時間の間に前記口腔清掃装置が移動された歯の数とに基づいて、前記ユーザのどの歯が前記移動に含まれるかを決定するように構成される、口腔清掃装置。
【請求項２】
前記フィッツの法則が、式
【数１０】
2018531053.tif 000001
を有し、ここで、ＭＴは、前記経過時間であり、Ｗ、ａ、及び、ｂは、所定値であり、Ｄは、前記第１の位置内で移動される距離である、請求項１記載の口腔清掃装置。
【請求項３】
前記コントローラが、前記口腔清掃装置のための較正データを更に有する、請求項１記載の口腔清掃装置。
【請求項４】
前記コントローラが、ブラッシングセッションを評価するように構成される、請求項１記載の口腔清掃装置。
【請求項５】
通信モジュールと、
前記口腔清掃装置と通信するとともにプロセッサを有する装置と、
を有し、
前記口腔清掃装置が、前記通信モジュールを介して、前記動き識別器からのセンサデータを送信するように構成され、
前記プロセッサが、（ｉ）前記動き識別器から受信されるセンサ情報に基づいて、ユーザの口内における前記口腔清掃装置の第１の位置を決定し、（ｉｉ）前記動き識別器から受信されるセンサ情報を用いて、前記第１の位置においてユーザの口内における前記口腔清掃装置の動きが開始されてから停止するまでの経過時間を測定し、（ｉｉｉ）フィッツの法則と前記測定された経過時間とを用いて、前記経過時間の間にブラッシングされた歯の数を計算し、（ｉｖ）前記第１の位置と前記経過時間の間に前記口腔清掃装置が移動された歯の数とに基づいて、前記ユーザのどの歯が前記移動に含まれるかを決定するように構成される、請求項１記載の口腔清掃装置。
【請求項６】
前記フィッツの法則が、式
【数１１】
2018531053.tif 000002
を有し、ここで、ＭＴは、前記経過時間であり、Ｗ、ａ、及び、ｂは、所定値であり、Ｄは、前記第１の位置内で移動される距離である、請求項５記載の口腔清掃装置。
【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
網膜光線療法あるいは光刺激を行うためのシステムであって、
マイクロパルスレーザー光線を生成するレーザーコンソールと、
レーザー光線を光学的に形成するために、レーザー光線が通過する光学レンズまたはマスクと、
網膜光線療法あるいは光刺激を行うための所望の部位の領域へレーザー光線を投影する同軸の広視野非接触型のデジタル光視認カメラと、
機構であって、網膜光線療法あるいは光刺激を行うための所望の部位の少なくとも１つの他の領域に、マイクロパルス間隔中のレーザー光線を制御可能に移動させ、その後、あらかじめ処置された領域にレーザー光線を再適用するための同じ処置セッションの間の所定の時間内に、あらかじめ処置された領域にレーザー光線を戻す、機構とを含む、
システム。
【請求項２】
レーザー光線は、網膜光線療法あるいは光刺激を行うための所望の部位の完全な適用範囲を達成するために、制御可能に移動させられる、請求項１に記載のシステム。
【請求項３】
レーザー光線は、網膜光線療法あるいは光刺激を行うための所望の部位上の疾患マーカーに選択的に適用される、請求項１または２に記載のシステム。
【請求項４】
レーザー光線は、網膜光線療法あるいは光刺激を行うための所望の部位の中心の少なくとも一部に投影される、請求項１−３のいずれかに記載のシステム。
【請求項５】
光学レンズまたはマスクは、レーザー光線から複数のスポットを生成するために、回折光学素子を含み、ここで、複数のスポットは、同軸の広視野の非接触型デジタル光視認カメラから、網膜光線療法あるいは光刺激を行うための所望の部位の少なくとも一部まで投影される、請求項１−４のいずれかに記載のシステム。
【請求項６】
網膜診断モダリティからの結果画像に平行に、あるいは、前記結果画像の上に重ねて表示される、網膜光線療法あるいは光刺激を行うための所望の部位の眼底画像をさらに含む、請求項１−５のいずれかに記載のシステム。
【請求項７】
レーザー光線は、以前に処置された領域に、その領域へのレーザー光の前回の照射から１秒未満以内に、制御可能に戻される、請求項１−６のいずれかに記載のシステム。
【請求項８】
レーザー光線は、１ミリ秒から３ミリ秒以内に、以前に処置された領域に戻される、請求項７に記載のシステム。
【請求項９】
レーザーコンソールは、複数のマイクロパルス光線、異なる波長を有する少なくとも複数の光線を生成する、請求項１−８のいずれかに記載のシステム。
【請求項１０】
マイクロパルスレーザー光線は５３２ｎｍ以上、好ましくは７５０ｎｍ−１３００ｎｍの間のレーザー光波長を備え、ここで、レーザー光線はマイクロパルスであり、１０％未満、好ましくは５％未満のデューティサイクルを有し、適用されるパルスは１ミリ秒未満の持続時間、好ましくは５０マイクロ秒から１００マイクロ秒の間の持続時間である、請求項１−９のいずれかに記載のシステム。
【手続補正書】
【提出日】令和1年8月13日(2019.8.13)
【手続補正１】
【補正対象書類名】特許請求の範囲
【補正対象項目名】全文
【補正方法】変更
【補正の内容】
【特許請求の範囲】
【請求項１】
少なくとも１つの振動要素および種々の振動周波数で前記振動要素に振動を引き起こす手段と、心臓信号または呼吸信号の監視手段と、データ処理手段とを備えている、ストレスの自己調節を補助するための装置であって、
前記データ処理手段は、前記心臓信号または前記呼吸信号に基づいてストレス指示値を計算するための手段を含み、前記データ処理手段は、前記振動要素に引き起こされる１つ以上の周波数の振動を含む機械振動リズムを前記ストレス指示値に基づいて決定する手段を含むことを特徴とする、装置。
【請求項２】
前記装置は、着用または装用可能である、請求項１に記載の装置。
【請求項３】
前記データ処理手段は、測定される心拍または呼吸数ならびに前記計算されるストレス指示値と、前記引き起こされる振動リズムとの間の継続的なリアルタイムのフィードバックループを生成するように構成されていることを特徴とする、請求項１に記載の装置。
【請求項４】
前記引き起こされる振動は、３０ヘルツ未満の近超低周波であることを特徴とする、請求項１に記載の装置。
【請求項５】
当該装置は、当該装置の前記振動要素がユーザの身体の胸郭領域に位置するように当該装置をユーザに取り付けるための取り付け手段を含むことを特徴とする、請求項１に記載の装置。
【請求項６】
前記取り付け手段は、ユーザの胴の周囲に取り付けられるベルトまたはハーネスであることを特徴とする、請求項５に記載の装置。
【請求項７】
当該装置は、衣類の一部を形成することを特徴とする、請求項５に記載の装置。
【請求項８】
当該装置は、少なくとも１つのセンサを含む、請求項１に記載の装置。
【請求項９】
前記呼吸信号の監視手段は、運動センサを含む、請求項１に記載の装置。
【請求項１０】
前記少なくとも１つのセンサは、電位心臓センサを含む、請求項８に記載の装置。
【請求項１１】
前記少なくとも１つのセンサは、歪みセンサを含む、請求項８に記載の装置。
【請求項１２】
前記少なくとも１つのセンサは、温度センサを含む、請求項８に記載の装置。
【請求項１３】
前記少なくとも１つのセンサは、ｐＨメータを含む、請求項８に記載の装置。
【請求項１４】
前記少なくとも１つのセンサは、画像センサを含む、請求項８に記載の装置。
【請求項１５】
前記恒常的なフィードバックループは、ニューロンのリズムを１３ヘルツ未満に調整する、請求項３に記載の装置。
【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
ホスホジエステラーゼ3A（PDE3A）モジュレーターに反応性であるとして選択されたがん細胞を死滅させるまたはその生存を減少させるための剤であって、PDE3Aモジュレーターを含み、前記細胞が基準に対するPDE3AおよびSchlafen12（SLFN12）ポリペプチドまたはポリヌクレオチドレベルの増加を有するとして選択されたものである、剤。
【請求項２】
PDE3Aモジュレーターに反応性であるがんを有するとして予め選択された対象におけるがん細胞増殖を減少させるための剤であって、PDE3Aモジュレーターを含み、前記対象が基準に対するPDE3AおよびSLFN12ポリペプチドまたはポリヌクレオチドレベルの増加を検出することによって予め選択されている、剤。
【請求項３】
前記PDE3Aモジュレーターが、6−（4−（ジエチルアミノ）−3−ニトロフェニル）−5−メチル−4，5−ジヒドロピリダジン−3（2H）−オン（DNMDP）、ザルダベリンおよびアナグレリド、またはその薬学的に許容される塩からなる群から選択される、請求項1または2に記載の剤。
【請求項４】
PDE3A調節に反応性のがん細胞を有する対象を同定する方法であって、基準に対する前記対象の生体試料中のPDE3AおよびSLFN12ポリペプチドまたはポリヌクレオチドレベルの増加を検出し、それによってPDE3A調節に反応性のがんを有するとして前記対象を同定するステップを含む方法。
【請求項５】
PDE3A調節に耐性のがんを有する対象を同定する方法であって、基準に対する前記対象の生体試料中のSLFN12ポリペプチドまたはポリヌクレオチドレベルの低下を検出し、それによってPDE3A調節に耐性のがんを有するとして前記対象を同定するステップを含む方法。
【請求項６】
PDE3AまたはSLFN12レベルが免疫ブロット、質量分析および免疫沈降からなる群から選択される方法によって検出される、請求項1または2に記載の剤。
【請求項７】
PDE3AまたはSLFN12レベルが免疫ブロット、質量分析および免疫沈降からなる群から選択される方法によって検出される、請求項4または5に記載の方法。
【請求項８】
PDE3AまたはSLFN12ポリヌクレオチドレベルが定量的PCR、ノーザンブロット、マイクロアレイ、質量分析およびin situハイブリダイゼーションからなる群から選択される方法によって検出される、請求項1または2に記載の剤。
【請求項９】
PDE3AまたはSLFN12ポリヌクレオチドレベルが定量的PCR、ノーザンブロット、マイクロアレイ、質量分析およびin situハイブリダイゼーションからなる群から選択される方法によって検出される、請求項4または5に記載の方法。
【請求項１０】
前記がん細胞が黒色腫、子宮内膜がん、肺がん、造血／リンパがん、卵巣がん、子宮頸がん、軟部組織肉腫、平滑筋肉腫、尿路がん、膵がん、甲状腺がん、腎臓がん、膠芽腫または乳がん細胞である、請求項1または2に記載の剤。
【請求項１１】
前記がん細胞が黒色腫、子宮内膜がん、肺がん、造血／リンパがん、卵巣がん、子宮頸がん、軟部組織肉腫、平滑筋肉腫、尿路がん、膵がん、甲状腺がん、腎臓がん、膠芽腫または乳がん細胞である、請求項4または5に記載の方法。
【請求項１２】
前記がん細胞がB細胞増殖型がんではない、請求項1または2に記載の剤。
【請求項１３】
前記がん細胞がB細胞増殖型がんではない、請求項4または5に記載の方法。
【請求項１４】
前記がん細胞が多発性骨髄腫ではない、請求項1または2に記載の剤。
【請求項１５】
前記がん細胞が多発性骨髄腫ではない、請求項4または5に記載の方法。
【請求項１６】
経口投与される、または静脈内注射によって投与される、請求項2に記載の剤。
【請求項１７】
前記生体試料ががん細胞を含む組織試料である、請求項4に記載の方法。
【請求項１８】
前記基準が健康対照である、請求項1〜3および6のいずれか一項に記載の剤。
【請求項１９】
前記基準が健康対照である、請求項4、5および7のいずれか一項に記載の方法。
【請求項２０】
PDE3A調節に反応性のがんを有する対象を同定するためのキットであって、PDE3Aポリペプチドまたはポリヌクレオチドに結合する第1の捕捉試薬およびSLFN12ポリペプチドまたはポリヌクレオチドに結合する第2の捕捉試薬を含むキット。
【手続補正書】
【提出日】令和1年9月17日(2019.9.17)
【手続補正１】
【補正対象書類名】特許請求の範囲
【補正対象項目名】全文
【補正方法】変更
【補正の内容】
【特許請求の範囲】
【請求項１】
内部に開口の配列を有する、相互接続され、配向された複数のストランドを含んでなるインテグラルジオグリッドであって、
互いに異なる高分子材料からなる少なくとも２層を有し、単一共押出により形成される、少なくとも約２ｍｍの初期厚さを有する共押出多層ポリマーシートから製造され、
前記相互接続され、配向された複数のストランドは、押出後の延伸により配向されているインテグラルジオグリッド。
【請求項２】
前記配向されたストランドが、一軸または二軸延伸されている、請求項１に記載のインテグラルジオグリッド。
【請求項３】
前記共押出多層ポリマー出発シートが、第１の層、第２の層、および第３の層を包含し、前記第１の層および前記第３の層が前記第２の層の対向する平面上に配置されている、請求項１に記載のインテグラルジオグリッド。
【請求項４】
前記共押出多層ポリマー出発シートが約２ｍｍ〜約１２ｍｍの厚みを有する、請求項１に記載のインテグラルジオグリッド。
【請求項５】
前記第１の層が約０．５ｍｍ〜約４．５ｍｍの厚みを有し、前記第２の層が約１ｍｍ〜約９ｍｍの厚みを有し、かつ前記第３の層が約０．５ｍｍ〜約４．５ｍｍの厚みを有する、請求項３に記載のインテグラルジオグリッド。
【請求項６】
前記第１の層が高分子量ポリオレフィンの構成材料を有し、前記第２の層が規格外品ポリマーの構成材料を有し、かつ前記第３の層が高分子量ポリオレフィンの構成材料を有する、請求項３に記載のインテグラルジオグリッド。
【請求項７】
前記第１の層の前記高分子量ポリオレフィンがポリプロピレンであって、前記第２の層の前記規格外品ポリマーがポストインダストリアルポリプロピレンであって、前記第３の層の前記高分子量ポリオレフィンがポリプロピレンである、請求項６に記載のインテグラルジオグリッド。
【請求項８】
前記相互接続され、配向された複数のストランドが、実質的に長手方向に配向されたストランドによって相互接続された横方向のストランドを含む、請求項１に記載のインテグラルジオグリッド。
【請求項９】
前記インテグラルジオグリッドが、構造的強化目的または建造物強化目的のために構成される、請求項１に記載のインテグラルジオグリッド。
【請求項１０】
異なる材料の層を有し、単一共押出により形成され、前記出発シートが一軸または二軸延伸される場合、開口部を提供する、孔または窪みを内部に有する共押出多層ポリマーシートを含んでなる、インテグラルジオグリッドを作製するための出発材料。
【請求項１１】
前記共押出多層ポリマー出発シートが、第１の層、第２の層、および第３の層を含み、前記第１の層および前記第３の層が前記第２の層の対向する平面上に配置されている、請求項１０に記載の出発材料。
【請求項１２】
前記共押出多層ポリマー出発シートが少なくとも約２ｍｍの初期厚さを有する、請求項１０に記載の出発材料。
【請求項１３】
前記共押出多層ポリマー出発シートが約０．２ｍｍ〜約９ｍｍの延伸厚さを有する、請求項１０に記載の出発材料。
【請求項１４】
延伸された後の前記共押出多層ポリマー出発シートが、実質的に同一の出発厚さを有する非共押出シートの曲げ剛性およびねじり剛性と比較して、増加した曲げ剛性およびねじり剛性を示す、請求項１０に記載の出発材料。
【請求項１５】
請求項１に記載のインテグラルジオグリッドを埋設することによって強化された粒状材料の塊を含んでなる、土壌構造物。
【請求項１６】
請求項１に記載のインテグラルジオグリッドを粒状材料の塊に埋設することを含んでなる、粒状材料の塊を強化する方法。
【請求項１７】
インテグラルジオグリッドを作製する方法であって、
互いに異なる高分子材料からなる隣接する２層を有し、単一共押出により形成された、少なくとも約２ｍｍの初期厚さを有する共押出多層ポリマー出発シートを準備すること、
前記共押出多層ポリマー出発シートにパターン化された複数の孔または窪みを設けること、および、
前記パターン化された複数の孔または窪みを有する前記共押出多層ポリマー出発シートを延伸により配向して、相互接続され、配向された複数のストランドを準備すること、および
前記孔または窪みを格子開口として構成すること、
を含んでなる方法。
【請求項１８】
前記パターン化された複数の孔または窪みを内部に有する前記共押出多層ポリマー出発シートが、一軸または二軸延伸によって配向される、請求項１７に記載の方法。
【請求項１９】
前記共押出多層ポリマー出発シートが、第１の層、第２の層、および第３の層を包含し、前記第１の層および前記第３の層が前記第２の層の対向する平面上に配置されている、請求項１７に記載の方法。
【請求項２０】
前記共押出多層ポリマー出発シートが少なくとも約２ｍｍの初期厚さを有する、請求項１７に記載の方法。
【請求項２１】
前記第１の層が約０．５ｍｍ〜約４．５ｍｍの厚みを有し、前記第２の層が約１ｍｍ〜約９ｍｍの厚みを有し、かつ前記第３の層が約０．５ｍｍ〜約４．５ｍｍの厚みを有する、請求項１９に記載の方法。
【請求項２２】
前記第１の層が高分子量ポリオレフィンの構成材料を有し、前記第２の層が規格外品ポリマーの構成材料を有し、かつ前記第３の層が高分子量ポリオレフィンの構成材料を有する、請求項１９に記載の方法。
【請求項２３】
インテグラルジオグリッド構造を提供する方法であって、
異なる材料の層を有し、単一共押出により形成され、配向された複数のストランドおよび複数の格子開口を有するインテグラルジオグリッドを提供するパターン化された複数の孔または窪みを有する、共押出多層ポリマー出発シートである出発材料を一軸または二軸延伸すること、および、
前記インテグラルジオグリッドを粒状材料の塊に埋設すること、
を含んでなる、方法。
【請求項２４】
前記インテグラルジオグリッドが三軸インテグラルジオグリッドである、請求項１に記載のインテグラルジオグリッド。
【請求項２５】
前記インテグラルジオグリッドが三軸インテグラルジオグリッドである、請求項１７に記載の方法。
【請求項２６】
前記インテグラルジオグリッドが一軸インテグラルジオグリッドである、請求項１７に記載の方法。
【請求項２７】
前記インテグラルジオグリッドが二軸インテグラルジオグリッドである、請求項１７に記載の方法。
【請求項２８】
前記インテグラルジオグリッドが色識別層を含む、請求項１７に記載の方法。
【請求項２９】
内部に開口の配列を有する、相互接続され、配向された複数のストランドを含んでなるインテグラルジオグリッドであって、
互いに異なる高分子材料からなる少なくとも２層を有し、単一共押出により形成される多層出発シートから製造され、
前記配向されたストランドは１．０超のアスペクト比を有する、インテグラルジオグリッド。
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
ヒンジ式蓋（９）を有するタバコ製品用硬質包装体（１）であって、
少なくとも１つのタバコ製品群（２３）と、
前記タバコ製品群（２３）を封入する、少なくとも１つの包装（２）と、
前壁（６）及び後壁（７）を有する外側容器（４）と、
蓋（９）であり、後壁（１３）を有し、前記外側容器（４）に対して該蓋（９）を回転させるように、前記外側容器（４）の前記後壁（７）にヒンジ式に取り付けられた、蓋（９）と、
内側容器（３）であり、後壁（１７）を有し、前記包装（２）を収容し、前記外側容器（４）の内部に摺動可能に配置された、内側容器（３）と、
持ち上げ機構（１８）であり、前記蓋（９）の回転運動を利用して、前記内側容器（３）を前記外側容器（４）に対して、前記内側容器（３）が前記外側容器（４）内に完全に差し込まれる下降位置と、前記内側容器（３）が前記外側容器（４）から部分的に引き出される取出位置との間を移動させるように、前記内側容器（３）を前記蓋（９）に接続する、持ち上げ機構（１８）と、を備え、
前記包装（２）が、再貼付型の密封フラップ（２５）によって閉じられるタバコ製品取出口（２４）を有し、
前記持ち上げ機構（１８）が、硬質接続タブ（１９）を備え、該硬質接続タブが、一方の側において、前記内側容器（３）の前記後壁（１７）に直接ヒンジ式に取り付けられ、前記蓋（９）の前記後壁（１３）に接着されることを特徴とする、タバコ製品用硬質包装体。
【請求項２】
前記密封フラップ（２５）が、前記密封フラップ（２５）の底部に配置された把持可能な保持タブ（２７）を備える、請求項１に記載のタバコ製品用硬質包装体（１）。
【請求項３】
前記密封フラップ（２５）の前記保持タブ（２７）が、前記密封フラップ（２５）の他の部分に対して「Ｕ」字状に折り曲げられる、請求項２に記載のタバコ製品用硬質包装体（１）。
【請求項４】
前記保持タブ（２７）が、常に、前記外側容器（４）の前記前壁（６）の上縁（３６）よりも高く配置されている、請求項２又は３に記載のタバコ製品用硬質包装体（１）。
【請求項５】
前記蓋（９）を開閉することによって、すなわち、前記内側容器（３）を前記外側容器（４）に対して長手方向に昇降させることによって、前記密封フラップ（２５）の前記保持タブ（２７）が、前記外側容器（４）の前記前壁（６）の上縁（３６）から出入りする、請求項２又は３に記載のタバコ製品用硬質包装体（１）。
【請求項６】
前記蓋（９）が閉位置にある場合、前記内側容器（３）が前記下降位置に配置され、前記密封フラップ（２５）の前記保持タブ（２７）が、前記外側容器（４）の内部に少なくとも部分的に配置され、このため、前記外側容器（４）の前記前壁（６）によって少なくとも部分的に覆われ、
前記蓋（９）が開位置にある場合、前記内側容器（３）が前記取出位置に配置され、前記密封フラップ（２５）の前記保持タブ（２７）が、前記外側容器（４）の外側に完全に配置され、このため、前記外側容器（４）の前記前壁（６）から完全に解放されている、請求項５に記載のタバコ製品用硬質包装体（１）。
【請求項７】
前記密封フラップ（２５）が保持タブ（２７）を備え、該保持タブが、前記密封フラップ（２５）の底部に配置され、永久接着剤によって、前記蓋（９）の前壁（１２）の内面に、恒久的にかつ分離できないように接着される、請求項１に記載のタバコ製品用硬質包装体（１）。
【請求項８】
前記内側容器（３）が前壁（１６）を備え、該前壁が、前記外側容器（４）の前記前壁（６）と接するように配置され、前記保持タブ（２７）と重ならないように、常に、前記密封フラップ（２５）の前記保持タブ（２７）よりも低く配置される、請求項２から７の何れか一項に記載のタバコ製品用硬質包装体（１）。
【請求項９】
前記持ち上げ機構（１８）が硬質補強タブ（２０）を備え、該硬質補強タブが、前記硬質接続タブ（１９）にヒンジ式に取り付けられ、前記硬質接続タブ（１９）に重なり接着される、請求項１から８の何れか一項に記載のタバコ製品用硬質包装体（１）。
【請求項１０】
前記包装（２）が、切り込み（３１）を有し折り曲げられたラッパー（３０）から構成され、前記切り込み（３１）が、前記タバコ製品取出口（２４）を画定し前記密封フラップ（２５）によって完全に覆われ、
前記密封フラップ（２５）と前記ラッパー（３０）との間には、再貼付型接着剤が配置される、請求項１から９の何れか一項に記載のタバコ製品用硬質包装体（１）。
【手続補正書】
【提出日】平成31年4月3日(2019.4.3)
【手続補正１】
【補正対象書類名】特許請求の範囲
【補正対象項目名】全文
【補正方法】変更
【補正の内容】
【特許請求の範囲】
【請求項１】
ＥＲＩ骨格タイプ分子ふるいおよびＬＥＶ骨格タイプ分子ふるいを含む少なくとも１種の連晶相を含む、アルミノケイ酸塩分子ふるい組成物。
【請求項２】
ＳｉＯ２／Ａｌ２Ｏ３モル比が１０〜２５である、請求項１に記載の分子ふるい組成物。
【請求項３】
前記ＥＲＩ骨格タイプ分子ふるいが、ＤＩＦＦａＸ分析による測定で、前記ＬＥＶ骨格タイプ分子ふるいに対する割合が５〜９５％で、前記少なくとも１種の連晶相に存在する、請求項１に記載の分子ふるい組成物。
【請求項４】
前記ＥＲＩ骨格タイプ分子ふるいが、ＤＩＦＦａＸ分析による測定で、前記ＬＥＶ骨格タイプ分子ふるいに対する割合が１０〜９０％で、前記少なくとも１種の連晶相に存在する、請求項１に記載の分子ふるい組成物。
【請求項５】
前記ＥＲＩ骨格タイプ分子ふるいが、ＤＩＦＦａＸ分析による測定で、前記ＬＥＶ骨格タイプ分子ふるいに対する割合が２０〜８０％で、前記少なくとも１種の連晶相に存在する、請求項１に記載の分子ふるい組成物。
【請求項６】
前記ＥＲＩ骨格タイプ分子ふるいが、ＤＩＦＦａＸ分析による測定で、前記ＬＥＶ骨格タイプ分子ふるいに対する割合が３０〜７０％で、前記少なくとも１種の連晶相に存在する、請求項１に記載の分子ふるい組成物。
【請求項７】
前記ＥＲＩ骨格タイプ分子ふるいが、ＤＩＦＦａＸ分析による測定で、前記ＬＥＶ骨格タイプ分子ふるいに対する割合が４０〜６０％で、前記少なくとも１種の連晶相に存在する、請求項１に記載の分子ふるい組成物。
【請求項８】
請求項１に記載のアルミノケイ酸塩分子ふるい組成物を調製する方法であって、
（ａ）以下の成分：
（１）ケイ素酸化物の少なくとも１種の供給源；
（２）アルミニウム酸化物の少なくとも１種の供給源；
（３）カリウム、ならびに、ナトリウムおよびカリウムの組み合わせからなる群から選択される、第１族金属の金属（Ｍ）の少なくとも１種の供給源；
（４）ヒドロキシドイオン；
（５）Ｎ，Ｎ−ジメチルピペリジニウムカチオン（Ｑ）；および
（６）水
を含む反応混合物を調製する工程；ならびに、
（ｂ）前記反応混合物を、前記分子ふるい組成物の結晶を形成するのに十分な結晶化条件にかける工程
を含み、
前記反応混合物は、モル比で以下の組成を含む方法。
【表１】
2018531869.tif 000001
【請求項９】
前記分子ふるい組成物の調製のための前記反応混合物が、モル比で以下の組成を含む、請求項８に記載の方法。
【表２】
2018531869.tif 000002
【請求項１０】
前記結晶化条件が、１２５℃〜２００℃の温度を包含する、請求項８に記載の方法。
【請求項１１】
有機化合物を含む供給原料を転化生成物に転化する方法であって、有機化合物転化条件で、請求項１の分子ふるいの活性形態を含む触媒に前記供給原料を接触させる工程を含む方法。
【請求項１２】
前記有機化合物が有機酸素化物を含み、そして、前記の有機化合物転化方法が前記有機酸素化物をオレフィンを含む生成物に転化する、請求項１１に記載の方法。
【請求項１３】
前記有機酸素化物が、メタノール、ジメチルエーテル、またはこれらの組み合わせを含み、前記オレフィンが、エチレン、プロピレン、またはこれらの組み合わせを含む、請求項１２に記載の方法。
【請求項１４】
窒素酸化物（ＮＯｘ）を選択的に還元する方法であって、請求項１記載の分子ふるいを含む触媒に窒素酸化物を含む気体流を接触させることを含む、方法。
【請求項１５】
前記触媒が、Ｃｒ、Ｍｎ、Ｆｅ、Ｃｏ、Ｃｅ、Ｎｉ、Ｃｕ、Ｍｏ、Ｒｕ、Ｒｈ、Ｐｄ、Ａｇ、Ｒｅ、ＩｒおよびＰｔから選択される遷移金属の１種以上をさらに含む、請求項１４に記載の方法。
【請求項１６】
前記遷移金属が、前記分子ふるいの総重量に基づいて０．１〜１０重量％の量で存在する、請求項１５に記載の方法。
【請求項１７】
アルミニウム酸化物及びケイ素酸化物の供給源がＹ−ゼオライトを含む、請求項８に記載の方法。
【手続補正書】
【提出日】令和1年8月13日(2019.8.13)
【手続補正１】
【補正対象書類名】特許請求の範囲
【補正対象項目名】全文
【補正方法】変更
【補正の内容】
【特許請求の範囲】
【請求項１】
粒子状無機鉱物及び抗菌性金属を含む組成物であって、抗菌性金属が、粒子状無機鉱物の粒子内に組み込まれており、粒子状無機鉱物の粒子が、その構造内に包埋されている銀ナノ粒子を含まず、及び／又は粒子状無機鉱物の粒子内の抗菌性金属の粒子のサイズが、５０ｎｍを超える、又は１００ｎｍを超える、組成物。
【手続補正書】
【提出日】令和1年8月16日(2019.8.16)
【手続補正１】
【補正対象書類名】特許請求の範囲
【補正対象項目名】全文
【補正方法】変更
【補正の内容】
【特許請求の範囲】
【請求項１】
個体における炎症性疾患、障害、もしくは状態；自己免疫疾患、障害、もしくは状態；アレルギー疾患もしくは障害；代謝疾患、障害、もしくは状態；神経疾患；望ましくない免疫反応；または治療薬の毒性を治療する方法に使用するための免疫調整組成物であって、前記免疫調整組成物は、
ａ）生存するカウロバクター（Ｃａｕｌｏｂａｃｔｅｒ）属と、
ｂ）医薬的に許容し得る賦形剤と
を含み、前記生存するカウロバクター属は、０．００００００１〜１００％生存可能である、免疫調整組成物。
【請求項２】
前記カウロバクター属は、カウロバクター・クレセンタス（Ｃａｕｌｏｂａｃｔｅｒ  ｃｒｅｓｃｅｎｔｕｓ）、リポ多糖陰性カウロバクター・クレセンタス、Ｓ層陰性カウロバクター・クレセンタス、カウロバクター・ビブロイデス（Ｃａｕｌｏｂａｃｔｅｒ  ｖｉｂｒｏｉｄｅｓ）、カウロバクター・サブビブロイデス（Ｃａｕｌｏｂａｃｔｅｒ  ｓｕｂｖｉｂｒｏｉｄｅｓ）、カウロバクター・ヘンリシイ（Ｃａｕｌｏｂａｃｔｅｒ  ｈｅｎｒｉｃｉｉ）、カウロバクター・フシフォルミス（Ｃａｕｌｏｂａｃｔｅｒ  ｆｕｓｉｆｏｒｍｉｓ）、カウロバクター・インターメディウス（Ｃａｕｌｏｂａｃｔｅｒ  ｉｎｔｅｒｍｅｄｉｕｓ）およびそれらの成分からなる群から選択され、任意で前記カウロバクター属は、突然変異化、弱毒化、および／または遺伝子改変されている、請求項１に記載の組成物。
【請求項３】
前記組成物が、自己抗原またはアレルゲンとともに、前記個体へ投与される、請求項１または２に記載の組成物。
【請求項４】
前記組成物が、抗微生物薬、抗ヒスタミン薬、抗糖尿病薬、抗炎症剤、抗増殖剤、細胞傷害剤、免疫抑制剤、免疫調整剤、免疫調節剤、抗体、サイトカイン、プレバイオティクス、またはアジュバントとともに、前記個体へ投与される、請求項１〜３のいずれか１項に記載の組成物。
【請求項５】
前記組成物が、マイクロバイオームまたは治療性病原からのプロバイオティクス、シンビオティクス、酵素、治療性メンバーとともに、前記個体へ投与される、請求項１〜４のいずれか１項に記載の組成物。
【請求項６】
前記個体が、ヒト、非ヒト哺乳動物、または非哺乳動物の動物である、請求項１〜５のいずれか１項に記載の組成物。
【請求項７】
前記組成物が、経口、経鼻、皮下、筋肉内、静脈内、膣内、経皮、外用、直腸、眼、または粘膜投与経路を介して投与される、請求項１〜６のいずれか１項に記載の組成物。
【請求項８】
前記組成物が、個体における免疫反応を調節するために使用され、調節性自然および／または適応免疫細胞、および／またはＩＬＣの集団の数、活性および／またはエフェクター機能が前記個体において調整される、請求項１〜７のいずれか１項に記載の組成物。
【請求項９】
前記組成物が、個体における幹細胞の増殖、分化および／または調整、ならびにホメオスタシスの修復を誘導するために使用される、請求項１〜７のいずれか１項に記載の組成物。
【請求項１０】
前記組成物が、個体における炎症または自己免疫障害または状態を処置するために使用され、前記障害または状態は、関節リウマチ、痛風、疼痛、１型糖尿病、多発性硬化症、全身エリテマトーデス（ＳＬＥ）、移植片対宿主病、シェーグレン症候群、慢性疲労症候群、自己免疫性肝炎、膵炎、腎炎、副鼻腔炎、鼻炎、ブドウ膜炎、セリアック病、溶血性貧血、加齢、強直性脊椎炎、変形性関節症、骨粗しょう症、筋ジストロフィー、甲状腺炎、敗血症、および自己免疫疾患に関連する線維症からなる群から選択される、請求項１〜７のいずれか１項に記載の組成物。
【請求項１１】
前記組成物が、個体における代謝障害を処置するために使用され、前記代謝障害は、肥満、多嚢胞性卵巣症候群、糖尿病、インスリン抵抗性、糖代謝異常、耐糖能障害、低インスリン血症、脂質代謝異常、高コレステロール血症、アテローム性動脈硬化症、メタボリックシンドローム、内分泌障害、創傷治癒、酸化ストレス、高血圧、心臓血管疾患、および腎疾患からなる群から選択される、請求項１〜７のいずれか１項に記載の組成物。
【請求項１２】
前記成物は、個体における神経障害を処置するために使用される、請求項１〜７のいずれか１項に記載の組成物。
【請求項１３】
前記組成物が、
（ａ）喘息、肺線維症、慢性閉塞性肺疾患、嚢胞性線維症、アレルギー性鼻炎、結膜炎、皮膚炎、および食物アレルギーからなる群から選択されるアレルギー疾患；
（ｂ）潰瘍性大腸炎、クローン病、炎症性腸疾患（ＩＢＤ）、短腸症候群、胃腸炎、粘膜炎、および膵炎からなる群から選択される胃腸障害；
（ｃ）乾癬、アトピー性皮膚炎、湿疹、強皮症、脱毛症、および脱毛からなる群から選択される皮膚障害；または
（ｄ）肝炎、肝硬変、脂肪肝疾患、肝線維症、脂肪性肝炎、および原発性硬化性肝炎からなる群から選択される肝障害、
を処置するために使用される、請求項１〜７のいずれか１項に記載の組成物。
【請求項１４】
前記組成物が、個体における治療的処置の有効性を増大するためおよび／または毒性を低減するために使用される、請求項１〜７のいずれか１項に記載の組成物。
【請求項１５】
前記組成物が、個体におけるマイクロバイオームの不均衡または腸内菌共生バランス失調に関連する疾患または医学的状態を処置、修復、または修正するために使用される、請求項１〜７のいずれか１項に記載の組成物。
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
化学機械研磨キャリアヘッド用の外部クランプリングであって、
上面、下面、円筒形外壁および円筒形内壁を有する円筒形本体と、
前記本体の前記円筒形外壁および前記円筒内壁上に配置された疎水性層と
を備え、
前記上面および前記下面には前記疎水性層は配置されていない、外部クランプリング。
【請求項２】
前記疎水性層が、約４００ｎｍから約１００ｎｍの間の厚さを有する、請求項１に記載の外部クランプリング。
【請求項３】
前記上面および前記下面は、前記円筒形内壁および前記円筒形外壁の高さよりも短い幅を有する、請求項１に記載の外部クランプリング。
【請求項４】
前記上面および前記下面の前記幅が前記円筒形内壁および前記円筒形外壁の前記高さの４分の１未満であってよい、請求項３に記載の外部クランプリング。
【請求項５】
前記円筒形本体が
細い円筒形帯をさらに備える、請求項１に記載の外部クランプリング。
【請求項６】
前記円筒形外壁上の前記疎水性コーティングが、
約１６マイクロインチＲａ以下の表面粗さを備える、請求項１に記載の外部クランプリング。
【請求項７】
前記円筒形外壁が、
約１６マイクロインチＲａ以下の表面粗さを備える、請求項１に記載の外部クランプリング。
【請求項８】
前記円筒形内壁が、
約１６マイクロインチＲａ以下の表面粗さを備える、請求項７に記載の外部クランプリング。
【請求項９】
疎水性コーティングが、
シリコンベースのコーティング材料、または炭素含有材料を含む、請求項１に記載の外部クランプリング。
【請求項１０】
前記疎水性コーティングが、
カルボキシランから成るシリコンベースのコーティング材料を含む、請求項１に記載の外部クランプリング。
【請求項１１】
前記疎水性コーティングが、
ペルフルオロアルコキシアルカン（ＰＦＡ）、フッ素化エチレンプロピレン（ＦＥＰ）から成る群から選択されたＰＴＦＥベースのコーティング材料を含む、請求項１に記載の外部クランプリング。
【請求項１２】
前記疎水性コーティングが、
パリレン（ポリパラキシレン）、パリレンＣ（塩素化直鎖ポリパラキシレン）、パリレンＮ（直鎖ポリパラキシレン）、パリレンＸ（架橋ポリパラキシレン）、ポリエーテルエーテルケトン、およびダイヤモンドライクカーボン（ＤＬＣ）から成る群から選択された炭素含有材料を含む、請求項１に記載の外部クランプリング。
【請求項１３】
前記疎水性コーティングは、
付加的な製造作業、吹き付け、または浸漬を用いて塗布される、請求項１に記載の外部クランプリング。
【請求項１４】
化学機械研磨キャリアヘッド用の外部クランプリングであって、
上壁、下壁、円筒形外壁および円筒形内壁を有する細い円筒形帯と、
前記上壁でも前記下壁でもない前記円筒形外壁および前記円筒内壁上に配置された疎水性層とを備え、前記疎水性層が、シリコンベースのコーティング材料を含む、外部クランプリング。
【請求項１５】
前記疎水性層が約４００ｎｍから約１００ｎｍまでの厚さを有する、請求項１または請求項１４に記載の外部クランプリング。
【請求項１６】
前記円筒形外壁上の前記疎水性コーティングが、
約１６マイクロインチＲａ未満の表面粗さを備える、請求項１４に記載の外部クランプリング。
【請求項１７】
前記円筒形外壁が、
約１６マイクロインチＲａ以下の表面粗さを備える、請求項１４に記載の外部クランプリング。
【請求項１８】
前記円筒形内壁上の前記疎水性コーティングが、
約３２マイクロインチＲａ以下の表面粗さを備える、請求項１７に記載の外部クランプリング。
【請求項１９】
前記疎水性コーティングが、
カルボキシラン、パリレン（ポリパラキシレン）、パリレンＣ（塩素化直鎖ポリパラキシレン）、パリレンＮ（直鎖ポリパラキシレン）、パリレンＸ（架橋ポリパラキシレン）、ポリエーテルエーテルケトン、およびダイヤモンドライクカーボン（ＤＬＣ）から成る群から選択されたコーティング材料を含む、請求項１４に記載の外部クランプリング。
【請求項２０】
上面および下面を有する本体であって、前記本体の前記下面が、そこから延びる取り付けリングを有する、本体と、
前記本体に結合された保持リングと、
前記保持リングの内側に配置され、前記保持リングが外接する可撓性膜であって、前記キャリアヘッド内に保持された基板と接触するように構成された外側を有する可撓性膜と、
前記可撓性膜を前記取り付けリングに固定する外部クランプリングであって、上壁、下壁、内壁、および、間隔を隔てた関係で前記保持リングに対向する円筒形外壁を有し、前記円筒形内壁および前記円筒形外壁が、前記上壁と前記下壁との両方から省かれた疎水性コーティングでコーティングされた、外部クランプリングと
を備える、キャリアヘッド。
【手続補正書】
【提出日】令和1年9月13日(2019.9.13)
【手続補正１】
【補正対象書類名】特許請求の範囲
【補正対象項目名】全文
【補正方法】変更
【補正の内容】
【特許請求の範囲】
【請求項１】
Ｎａ３Ｖ２（ＰＯ４）２Ｆ３物質の製造方法であって、
ａ）元素態炭素の非存在下、１種以上のリン酸陰イオン前駆体の存在下で、酸化バナジウムＶ２Ｏ５を還元性雰囲気下で還元してリン酸バナジウムＶＰＯ４を形成する工程と、
ｂ）工程ａ）で得られたＶＰＯ４と、有効量のフッ化ナトリウムＮａＦ及び元素態炭素源としての１種以上の炭化水素系の含酸素化合物との混合物を、不活性雰囲気下で、該混合物を焼成するのに適した温度条件に暴露して、Ｎａ３Ｖ２（ＰＯ４）２Ｆ３物質を形成する工程と
を少なくとも含む方法。
【請求項２】
前記還元性雰囲気が水素分子を還元剤として使用する、請求項１に記載の方法。
【請求項３】
前記リン酸陰イオン前駆体が、Ｈ３ＰＯ４、Ｈ（ＮＨ４）２ＰＯ４及びＨ２ＮＨ４ＰＯ４から選択される、請求項１又は請求項２に記載の方法。
【請求項４】
工程ａ）が、水素分子で２％に希釈されたアルゴンの雰囲気下で、約８００℃の温度で実施される、請求項１乃至請求項３のいずれか１項に記載の方法。
【請求項５】
工程ｂ）の炭化水素系の含酸素化合物が、糖類及び炭水化物から選択される、請求項１乃至請求項４のいずれか１項に記載の方法。
【請求項６】
工程ｂ）の焼成が不活性雰囲気下８００℃で実施される、請求項１乃至請求項５のいずれか１項に記載の方法。
【請求項７】
当該方法が、その工程ａ）と工程ｂ）との間に機械的圧縮工程を含まない、請求項１乃至請求項６のいずれか１項に記載の方法。
【請求項８】
Ｎａ３Ｖ２（ＰＯ４）２Ｆ３物質が、平均粒径２μｍ未満の一次粒子の形態で存在し、該一次粒子が凝集体の構成粒子である、請求項１乃至請求項７のいずれか１項に記載の方法。
【請求項９】
２μｍ未満の平均粒径を有し、かつ導電性炭素で表面被覆された一次粒子からなるＮａ３Ｖ２（ＰＯ４）２Ｆ３物質であって、以下の格子パラメーターを有する空間群Ａｍａｍの斜方晶系格子を有する物質：
ａは９．０２８〜９．０３０であり、
ｂは９．０４４〜９．０４６であり、
ｃは１０．７４９以上である。
【請求項１０】
当該物質の総重量を基準にして、０．５〜５重量％の導電性炭素を含む、請求項９に記載の物質。
【請求項１１】
前記粒子が、凝集体の形態である、請求項９又は請求項１０に記載の物質。
【請求項１２】
１ｍ２／ｇ以上のＢＥＴ比表面積を有する、請求項９乃至請求項１１のいずれか１項に記載の物質。
【請求項１３】
１重量％以下のＶ４＋陽イオン含有量を有する、請求項９乃至請求項１２のいずれか１項に記載の物質。
【請求項１４】
電極活物質としての、請求項９乃至請求項１３のいずれか１項に記載の物質の使用。
【請求項１５】
請求項９乃至請求項１３のいずれか１項に記載の少なくとも１の物質を含む、電極活物質。
【請求項１６】
請求項９乃至請求項１３のいずれか１項に記載の物質から完全に又は部分的に構成された電極。
【請求項１７】
ポリマー又はバインダーをさらに含む、請求項１６に記載の電極。
【請求項１８】
請求項１６又は請求項１７に記載の電極を備えるナトリウム又はナトリウムイオン二次電池。
【手続補正２】
【補正対象書類名】明細書
【補正対象項目名】００２０
【補正方法】変更
【補正の内容】
【００２０】
さらに具体的には、本発明に係る物質は、空間群Ａｍａｍの斜方晶系格子で結晶化し、以下の格子パラメーターを有する：
ａは９．０２８〜９．０３０であり、好ましくは実質的に９．０２９に等しく、
ｂは９．０４４〜９．０４６であり、好ましくは実質的に９．０４５に等しく、
ｃは１０．７４９以上であり、好ましくは実質的に１０．７５１に等しい。